(57)【特許請求の範囲】
【請求項１】
原稿を載置するコンタクトガラスと、ＣＣＤと、光源と、反射ミラー、前記光源と反射ミラーを搭載し、移動可能な走査枠体と、スキャナー部と、
前記スキャナー部の上部に搭載され、原稿を搬送し、スキャナー部の前記ＣＣＤによる原稿を読み取るための読取位置上を通過させる原稿搬送部と、を備えた画像読取装置であって、
前記原稿搬送部は、原稿のＣＩＳを内蔵し、
前記ＣＣＤで原稿の第１面を読取らせると共に、前記ＣＩＳで原稿の第２面を読み取らせる両面読取モードにおける画像読取ジョブの実行時に、前記ＣＣＤ、前記ＣＩＳ、前記ＣＣＤからの出力信号を増幅する増幅器、前記ＣＩＳからの出力信号を増幅する増幅器に電力を供給する画像読取制御部と、
前記両面読取モードにおける画像読取ジョブが終了したときに、当該画像読取ジョブに続く次の画像読取ジョブが存在するか否かを判定するとともに、次の画像読取ジョブが存在する場合、当該次の画像読取ジョブが前記両面読取モードにおける画像読取ジョブであるか否かを判定する次ジョブ判定部と、
前記両面読取モードにおける画像読取ジョブである第１ジョブが終了後、それに続く前記両面読取モードにおける画像読取ジョブである第２ジョブが存在する場合、前記ＣＩＳを停止することなく、そのまま起動中の状態を継続させるＣＩＳ起動モードを実行し、かつ当該ＣＩＳ起動モードの実行時には、前記第１ジョブと前記第２ジョブとの間で前記第２ジョブの原稿の読取前のＣＩＳのシェーディング補正を行わない起動継続部と、
を備え、
前記次ジョブ判定部が、次の画像読取ジョブが存在すると判定し、かつ当該次の画像読取ジョブが前記両面読取モードにおける画像読取ジョブであると判定した場合、前記起動継続部は上述の動作を実施し、前記次ジョブ判定部が、次の画像読取ジョブが存在すると判定し、かつ当該次の画像読取ジョブが前記両面読取モードにおける画像読取ジョブでないと判定した場合、起動停止部は前記画像読取制御部による前記ＣＩＳへの電力供給を停止することで前記ＣＩＳを停止することを特徴とする画像読取装置。
【請求項２】
前記次の画像読取ジョブが存在すると判定された時点からの経過時間が予め設定された閾時間を超過した場合、前記起動停止部は、前記画像読取制御部による前記ＣＩＳ、前記ＣＩＳからの出力信号を増幅する増幅器への電力供給を停止する請求項１に記載の画像読取装置。
【請求項３】
原稿を載置するコンタクトガラスと、ＣＣＤと、光源と、反射ミラー、前記光源と反射ミラーを搭載し、移動可能な走査枠体と、スキャナー部と、
前記スキャナー部の上部に搭載され、原稿を搬送し、スキャナー部の前記ＣＣＤによる原稿を読み取るための読取位置上を通過させる原稿搬送部と、を備えた画像読取装置の画像読取方法であって、
前記原稿搬送部は、原稿のＣＩＳを内蔵し、
前記ＣＣＤで原稿の第１面を読取らせると共に、前記ＣＩＳで原稿の第２面を読み取らせる両面読取モードにおける画像読取ジョブが終了したときに、当該画像読取ジョブに続く次の画像読取ジョブが存在するか否かを判定するとともに、次の画像読取ジョブが存在する場合、当該次の画像読取ジョブが前記両面読取モードにおける画像読取ジョブであるか否かを判定するステップと、
前記両面読取モードにおける画像読取ジョブである第１ジョブが終了後、それに続く前記両面読取モードにおける画像読取ジョブである第２ジョブが存在する場合、前記ＣＩＳを停止することなく、そのまま起動中の状態を継続させるＣＩＳ起動モードを実行し、かつ当該ＣＩＳ起動モードの実行時には、前記第１ジョブと前記第２ジョブとの間で前記第２ジョブの原稿の読取前のＣＩＳのシェーディング補正を行わない起動継続ステップと、
を備え、
前記判定ステップにおいて、次の画像読取ジョブが存在すると判定され、かつ当該次の画像読取ジョブが前記両面読取モードにおける画像読取ジョブであると判定された場合、前記起動継続ステップが実施され、前記判定ステップにおいて、次の画像読取ジョブが存在すると判定され、かつ当該次の画像読取ジョブが前記両面読取モードにおける画像読取ジョブでないと判定された場合、前記ＣＩＳへの電力供給を停止することで前記ＣＩＳを停止するステップが実施されることを特徴とする画像読取方法。
【発明の詳細な説明】
【技術分野】
【０００１】
本発明は、画像読取装置及び画像読取方法に関する。
【背景技術】
【０００２】
従来より、原稿の表面の画像と裏面の画像とを一回の原稿搬送で読み取る画像読取装置が存在する。この画像読取装置は、例えば、原稿の表面をＣＣＤイメージセンサ（ＣＣＤ：Ｃｈａｒｇｅ  Ｃｏｕｐｌｅｄ  Ｄｅｖｉｃｅ）で読み取り、当該原稿の裏面を密着型イメージセンサ（ＣＩＳ：Ｃｏｎｔａｃｔ  Ｉｍａｇｅ  Ｓｅｎｓｏｒ）で読み取る。
【０００３】
このような画像読取装置の画像読取のスピードアップを図るために、例えば、特開２０１０−１６６３１８号公報（特許文献１）に、片面読取モードが選択されてスタートキーが操作されたとき、ゲイン調整が可能な状態であっても直ぐにゲイン調整を実行せず、原稿の表面情報の読取りを優先させて原稿読取動作をスピードアップする画像形成装置が開示されている。
【先行技術文献】
【特許文献】
【０００４】
【特許文献１】特開２０１０−１６６３１８号公報
【発明の概要】
【発明が解決しようとする課題】
【０００５】
上述のように、画像読取装置では原稿の画像読取のスピードアップが課題となっている。一方、上述した特許文献１に記載の技術は、片面読取モードが設定された場合に適用されるため、次のジョブが存在する場合に適用出来ないという問題がある。
【０００６】
そこで、本発明は、前記問題を解決するためになされたものであり、原稿の画像読取が完了した後に、次のジョブが存在する場合、当該原稿の画像の読取開始を早めることが可能な画像読取装置及び画像読取方法を提供することを目的とする。
【課題を解決するための手段】
【０００７】
本発明の一の局面に係る画像読取装置は、原稿を載置するコンタクトガラスと、ＣＣＤと、光源と、反射ミラー、走査枠体と、スキャナー部と、原稿搬送部と、起動継続部と、を備える画像読取装置である。走査枠体は、前記光源と反射ミラーを搭載し、移動可能である。原稿搬送部は、前記スキャナー部の上部に搭載され、原稿を搬送し、スキャナー部の前記ＣＣＤによる原稿を読み取るための読取位置上を通過させる。前記原稿搬送部は、原稿のＣＩＳを内蔵する。画像読取制御部は、前記ＣＣＤで原稿の第１面を読取らせると共に、前記ＣＩＳで原稿の第２面を読み取らせる両面読取モードにおける画像読取ジョブの実行時に、前記ＣＣＤ、前記ＣＩＳ、前記ＣＣＤからの出力信号を増幅する増幅器、前記ＣＩＳからの出力信号を増幅する増幅器に電力を供給する。次ジョブ判定部は、前記両面読取モードにおける画像読取ジョブが終了したときに、当該画像読取ジョブに続く次の画像読取ジョブが存在するか否かを判定するとともに、次の画像読取ジョブが存在する場合、当該次の画像読取ジョブが前記両面読取モードにおける画像読取ジョブであるか否かを判定する。起動継続部は、前記両面読取モードにおける画像読取ジョブである第１ジョブが終了後、それに続く前記両面読取モードにおける画像読取ジョブである第２ジョブが存在する場合、前記ＣＩＳを停止することなく、そのまま起動中の状態を継続させるＣＩＳ起動モードを実行する。
【０００８】
また、前記起動継続部は、前記ＣＩＳ起動モードの実行時には、前記第１ジョブと前記第２ジョブとの間で前記第２ジョブの原稿の読取前のＣＩＳのシェーディング補正を行わない。
【０００９】
このような構成において、前記次ジョブ判定部が、次の画像読取ジョブが存在すると判定し、かつ当該次の画像読取ジョブが前記両面読取モードにおける画像読取ジョブであると判定した場合、前記起動継続部は上述の動作を実施し、前記次ジョブ判定部が、次の画像読取ジョブが存在すると判定し、かつ当該次の画像読取ジョブが前記両面読取モードにおける画像読取ジョブでないと判定した場合、起動停止部は前記画像読取制御部による前記ＣＩＳへの電力供給を停止することで前記ＣＩＳを停止する。
【００１０】
また、以上の構成において、前記次の画像読取ジョブが存在すると判定された時点からの経過時間が予め設定された閾時間を超過した場合、前記起動停止部は、前記画像読取制御部による前記ＣＩＳ、前記ＣＩＳからの出力信号を増幅する増幅器への電力供給を停止する。
【００１１】
本発明の一の局面に係る画像読取方法は、原稿を載置するコンタクトガラスと、ＣＣＤと、光源と、反射ミラー、走査枠体と、スキャナー部と、原稿搬送部と、を備える画像読取装置の画像読取方法である。走査枠体は、前記光源と反射ミラーを搭載し、移動可能である。原稿搬送部は、前記スキャナー部の上部に搭載され、原稿を搬送し、スキャナー部の前記ＣＣＤによる原稿を読み取るための読取位置上を通過させる。前記原稿搬送部は、原稿のＣＩＳを内蔵する。画像読取方法は、前記ＣＣＤで原稿の第１面を読取らせると共に、前記ＣＩＳで原稿の第２面を読み取らせる両面読取モードにおける画像読取ジョブが終了したときに、当該画像読取ジョブに続く次の画像読取ジョブが存在するか否かを判定するとともに、次の画像読取ジョブが存在する場合、当該次の画像読取ジョブが前記両面読取モードにおける画像読取ジョブであるか否かを判定するステップを備える。また、前記両面読取モードにおける画像読取ジョブである第１ジョブが終了後、それに続く前記両面読取モードにおける画像読取ジョブである第２ジョブが存在する場合、前記ＣＩＳを停止することなく、そのまま起動中の状態を継続させるＣＩＳ起動モードを実行し、かつ当該ＣＩＳ起動モードの実行時には、前記第１ジョブと前記第２ジョブとの間で前記第２ジョブの原稿の読取前のＣＩＳのシェーディング補正を行わない起動継続ステップを備える。そして、前記判定ステップにおいて、次の画像読取ジョブが存在すると判定され、かつ当該次の画像読取ジョブが前記両面読取モードにおける画像読取ジョブであると判定された場合、前記起動継続ステップが実施され、前記判定ステップにおいて、次の画像読取ジョブが存在すると判定され、かつ当該次の画像読取ジョブが前記両面読取モードにおける画像読取ジョブでないと判定された場合、前記ＣＩＳへの電力供給を停止することで前記ＣＩＳを停止するステップが実施される。
【００１２】
本発明の一の局面に係る画像読取方法は、原稿を載置するコンタクトガラスと、ＣＣＤと、光源と、反射ミラー、走査枠体と、スキャナー部と、原稿搬送部と、を備える画像読取装置の画像読取方法である。走査枠体は、前記光源と反射ミラーを搭載し、移動可能である。原稿搬送部は、前記スキャナー部の上部に搭載され、原稿を搬送し、スキャナー部の前記ＣＣＤによる原稿を読み取るための読取位置上を通過させる。画像読取方法は、前記ＣＣＤで原稿を読取らせる読取モードにおいて、第１ジョブが終了後、それに続く第２ジョブが存在する場合、前記ＣＣＤを停止することなく、そのまま起動中の状態を継続させるＣＣＤ起動モードを実行する起動継続ステップを備える。
【発明の効果】
【００１３】
本発明の画像読取装置及び画像読取方法によれば、原稿の画像読取が完了した後に、次のジョブが存在する場合、当該原稿の画像の読取開始を早めることが可能となる。
【図面の簡単な説明】
【００１４】
【図１】本発明の実施形態に係る複合機の概略模式図（図１Ａ）と、本発明に係る画像読取部の正面視断面の概略模式図（図１Ｂ）とである。
【図２】本発明の実施形態に係る複合機の制御系ハードウェアの構成を示す図である。
【図３】本発明の第一及び第二の実施形態に係る複合機の機能ブロック図である。
【図４】本発明の第一の実施形態の実行手順を示すためのフローチャートである。
【図５】本発明に係る画像読取部の正面視断面の概略模式図（図５Ａ）と、両面画像読取開始におけるＣＩＳ、ＡＳＩＣ、ＣＣＤとの関係を示す図（図５Ｂ）と、次ジョブなしにおけるＣＩＳ、ＡＳＩＣ、ＣＣＤとの関係を示す図（図５Ｃ）である。
【図６】本発明の第二の実施形態の実行手順を示すためのフローチャートである。
【発明を実施するための形態】
【００１５】
以下に、添付図面を参照して、本発明の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１６】
以下に、本発明の実施形態の一例として、原稿の両面読み取り可能な画像読取部を備える画像形成装置について説明する。尚、本発明の画像形成装置は、例えば、コピー、スキャナ、プリンタ等の機能を備えた複合機（ＭＦＰ：Ｍｕｌｔｉ  Ｆｕｎｃｔｉｏｎ  Ｐｅｒｉｐｈｅｒａｌ）が該当する。
【００１７】
複合機１００は、図１Ａに示すように、操作部を介してユーザーから印刷ジョブの設定条件を受け付けて、画像読取部１０１で原稿の片面又は両面の画像を読み取り、画像形成部１０４、搬送部、定着部等を駆動して、当該印刷ジョブを提供する。
【００１８】
ここで、画像読取部１０１には、図１Ｂに示すように、原稿搬送部１０２（自動原稿給送部  Ａｕｔｏ  Ｄｏｃｕｍｅｎｔ  Ｆｅｅｄｅｒ、ＡＤＦ）とスキャナー部１０３を含み、スキャナー部１０３にＣＣＤ１０３ａが配置され、原稿搬送部１０２にＣＩＳ１０２ａが配置されている。スキャナー部１０３には、コンタクトガラス１０３ｂが配置され、スキャナー部１０３の筐体内部には、走査枠体（キャリッジ）１０３ｃ、光源１０３ｄ、ミラー１０３ｅ、レンズ１０３ｆ、ＣＣＤ１０３ａが配置されている。原稿搬送部１０２は、原稿トレイ１０２ｂと、原稿セットセンサー１０２ｃと、搬送ローラー１０２ｄと、フィードセンサー１０２ｅと、ＣＩＳ１０２ａと、原稿排紙トレイ１０２ｆとが配置されている。前記原稿搬送部１０２は、スキャナー部１０３の上部に搭載され、原稿を搬送し、スキャナー部１０３の前記ＣＣＤ１０３ａによる原稿を読み取るための読取位置上を通過させる。ＣＣＤ１０３ａは、コンタクトガラス１０３ｂに載置された原稿の表面の画像を読み取るとともに、原稿搬送部１０２で搬送された原稿の表面の画像を読み取る。ＣＩＳ１０２ａは、原稿搬送部１０２で搬送された原稿の裏面の画像を読み取る。
【００１９】
次に、図２を用いて、複合機１００の制御系ハードウェアの構成を説明する。複合機１００の制御回路は、図２に示すように、ＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、ＨＤＤ（Ｈａｒｄ  Ｄｉｓｋ  Ｄｒｉｖｅ）２０４、各駆動部に対応するドライバ２０５、画像読取部１０１、原稿搬送部１０２、スキャナー部１０３、画像形成部１０４を内部バス２０６によって接続している。
【００２０】
複合機１００のＣＰＵは、例えば、ＲＡＭを作業領域として利用し、ＲＯＭ、ＨＤＤ等に記憶されているプログラムを実行し、当該実行結果に基づいてドライバ、画像読取部１０１、原稿搬送部１０２、スキャナー部１０３、画像形成部１０４からのデータや指示、信号、命令等を授受し、図１に示した各駆動部の動作を制御する。又、駆動部以外の後述する各手段（図３に示す）についても、ＣＰＵが、各プログラムを実行することで当該各手段を実現する。ＲＯＭ、ＲＡＭ、ＨＤＤ等には、以下に説明する各手段を実現するプログラムやデータが記憶されている。
【００２１】
次に、図３、図４を参照しながら、本発明の第一の実施形態に係る構成及び実行手順について説明する。先ず、ユーザーが、複合機１００の電源を投入すると、当該複合機１００の表示受付部３０１が、操作部のタッチパネル上に操作画面を表示して、印刷ジョブの受付を開始する。ユーザーにより、前記操作画面のスキャナー機能が選択されると、画像読取（スキャナー）のプログラムが起動し、画像読取制御部３０２が、原稿の画像読取の受付を開始する。
【００２２】
ここで、ユーザーが、原稿搬送部１０２の原稿トレイ１０２ｂに両面印刷用の（一又は複数の）原稿を載置し、操作部を介して、両面画像読取ジョブを含む両面印刷ジョブを入力すると、表示受付部３０１が、当該両面印刷ジョブを受け付けて（図４：Ｓ１０１）、その旨を画像読取制御部３０２に通知する。当該通知を受けた画像読取制御部３０２は、前記ＣＣＤ１０３ａで原稿の第１面（表面）を読取らせると共に、前記ＣＩＳ１０２ａで原稿の第２面（裏面）を読み取らせる両面読取モードへ移行し、図５Ａに示すように、原稿搬送部１０２において原稿の一面（表面）の画像を読み取るためのＣＣＤ１０３ａを起動するとともに（図４：Ｓ１０２）、原稿の他面（裏面）の画像を読み取るためのＣＩＳ１０２ａを起動する（図４：Ｓ１０３）。
【００２３】
ここで、画像読取制御部３０２が、前記ＣＣＤ１０３ａを起動する場合は、以下のようになる。即ち、図５Ｂに示すように、前記ＣＣＤ１０３ａは、当該ＣＣＤ１０３ａからの出力信号を増幅する増幅器（ＡＦＥ）５００に接続され、当該ＡＦＥ５００は、当該ＡＦＥ５００からの増幅信号を画像データとして処理するＡＳＩＣ５０１と接続されており、当該ＡＳＩＣ５０１は、原稿を照射するための光源１０３ｄ（ＬＥＤ）に接続されている。ＣＣＤ１０３ａは、原稿の反射光に対応した出力信号を出力する。そのため、画像読取制御部３０２は、前記ＣＣＤ１０３ａと、前記ＡＦＥ５００、前記ＡＳＩＣ５０１とに電力供給し（ＯＮ）、光源１０３ｄを搭載した走査枠体１０３ｃを、原稿搬送部１０２から搬送された原稿の表面と対面する読取位置に移動させ、当該読取位置で停止させる。前記読取位置の対向する位置に、シェーディング用の白板が配置されている。画像読取制御部３０２は、走査枠体１０３ｃを白板に対面させ、光源１０３ｄを点灯して、画像読取の開始前にシェーディング補正を行う。画像読取制御部３０２は、前記ＣＣＤ１０３ａと前記ＡＳＩＣ５０１との間の処理（シェーディング補正、ＨＳＹＮＣ（Ｈｏｒｉｚｏｎｔａｌ  Ｓｙｎｃｈｒｏｎｉｚｉｎｇ  Ｓｉｇｎａｌ、水平同期信号）、ＡＧＣ（Ａｕｔｏｍａｔｉｃ  Ｇａｉｎ  Ｃｏｎｔｒｏｌ、自動利得制御）のレジスタ設定等）を実施する。これらの処理には、数秒−数十秒を要する。これらの処理が完了すると、前記画像読取制御部３０２は、前記ＣＣＤ１０３ａを用いて、原稿の表面の画像読取を開始することが出来る。尚、画像読取制御部３０２が、原稿の表面の画像読取の開始時に、前記光源１０３ｄの点灯を実行し、終了時に、当該光源１０３ｄの消灯を実行する。
【００２４】
又、画像読取制御部３０２が、両面画像読取ジョブを実行する際に、前記ＣＩＳ１０２ａを起動する場合は、以下のようになる。即ち、図５Ｂに示すように、前記ＣＩＳ１０２ａは、当該ＣＩＳ１０２ａからの出力信号を増幅する増幅器（ＡＦＥ）５０２に接続されており、前記ＡＦＥ５０２は、当該ＡＦＥ５０２からの増幅信号を画像データとして処理するＡＳＩＣ５０１に接続されている。そのため、画像読取制御部３０２は、前記ＣＩＳ１０２ａと、前記ＣＩＳ１０２ａの光源と、前記ＡＦＥ５０２と、前記ＡＳＩＣ５０１とに電力供給する（ＯＮ）。画像読取制御部３０２は、前記ＣＩＳ１０２ａと前記ＡＳＩＣ５０１との間の処理（シェーディング補正、ゲイン調整等）を実施する。これらの処理には、数秒−数十秒を要する。これらの処理が完了すると、前記画像読取制御部３０２は、前記ＣＩＳ１０２ａを用いて、原稿の裏面の画像読取を開始することが出来る。
【００２５】
さて、前記ＣＩＳ１０２ａの起動が完了すると、前記画像読取制御部３０２は、原稿搬送部１０２を介して、原稿トレイ１０２ｂに載置された原稿を一枚ずつ搬送して（図４：Ｓ１０４）、原稿の両面の画像読取を開始する（図４：Ｓ１０５）。
【００２６】
前記画像読取制御部３０２は、は、先ず、図５Ａに示すように、原稿トレイ１０２ｂの最下流側に予め設けられた原稿セットセンサー１０２ｃを用いて、当該原稿トレイ１０２ｂに原稿がセットされているか否かを検知する。前記画像読取制御部３０２は、当該原稿がセットされていると検知した場合に、所定のモータを回転させることで、原稿トレイ１０２ｂの下流側に予め設けられた搬送ローラー１０２ｄを回転させて、原稿トレイ１０２ｂから原稿を引き出して当該原稿を搬送する。
【００２７】
次に、前記画像読取制御部３０２は、搬送路上に予め設けられたフィードセンサー１０２ｅを用いて、前記原稿の搬送を確認するとともに、これで当該原稿の読み取りタイミングを取り、先ずは、前記ＣＩＳ１０２ａにより、当該搬送された原稿の裏面の画像を読み取る。次に、前記画像読制御部３０２は、前記原稿の搬送を継続して、前記ＣＣＤ１０３ａにより、当該搬送された原稿の表面の画像を読み取る。これにより、当該原稿の両面の画像の読取を完了する。そして、前記画像読取制御部３０２は、前記搬送した原稿を原稿排紙トレイ１０２ｆで排出して、一枚の原稿の両面の画像読取を完了する。このような画像読取を繰り返すことで、前記両面印刷ジョブに必要な原稿の両面画像の読取を完了する。
【００２８】
画像読取制御部３０２が原稿の両面の画像読取を完了すると、その旨を画像形成制御部３０３に通知し、当該通知を受けた画像形成制御部３０３は、画像形成部１０４を介して、前記読み取られた両面の画像に基づいて画像形成を実行し（図４：Ｓ１０６）、ユーザーは、両面印刷された印刷物を手に入れることが可能となる。
【００２９】
ここで、画像読取制御部３０２が、前記受け付けた両面印刷ジョブの両面画像読取ジョブ（前記両面読取モードのおける第１ジョブ）を終了すると、その旨を次ジョブ判定部３０４に通知し、当該通知を受けた次ジョブ判定部３０４は、次の画像読取ジョブ（第１ジョブに続く第２ジョブ）が存在するか否かを判定する（図４：Ｓ１０７）。
【００３０】
ここで、次ジョブ判定部３０４が判定する方法は、特に限定は無いが、例えば、前記両面画像読取ジョブが完了した時点からの経過時間を計時し、当該計時した経過時間が予め設定された所定の第一の閾時間（数分等）を超過するまでに、原稿搬送部１０２の原稿セットセンサー１０２ｃを用いて、前記原稿セットセンサー１０２ｃが原稿を検知したか否かを判定する。ユーザーが次の画像読取ジョブを入力する場合は、前記両面画像読取ジョブが完了した時点で、次の画像読取ジョブに対応する原稿を原稿トレイにセットする。そのため、前記経過時間が前記第一の閾時間を超過するまでに、前記原稿セットセンサー１０２ｃが原稿を検知することで、次ジョブ判定部３０４が、前記次の両面画像読取ジョブが存在すると判定する。一方、前記経過時間が前記第一の閾時間を超過した際に、前記原稿セットセンサー１０２ｃが原稿を検知しないと、次ジョブ判定部３０４が、前記次の両面画像読取ジョブが存在しないと判定する。
【００３１】
前記判定の結果、前記次の画像読取ジョブが存在する場合（図４：Ｓ１０７ＹＥＳ）、次ジョブ判定部３０４は、前記次の画像読取ジョブが、前記ＣＩＳ１０２ａを使用する両面画像読取ジョブ（前記両面読取モードのおける第２ジョブ）であるか否かを判定する（図４：Ｓ１０８）。ここで、例えば、ユーザーが、原稿トレイに原稿を載置して、操作部を介して次の画像読取ジョブ（例えば、両面画像読取ジョブを含む両面印刷ジョブ）を入力していた場合は、次ジョブ判定部３０４は、前記次の画像読取ジョブを受け付けた表示受付部３０１から当該次の画像読取ジョブを取得して、当該次の画像読取ジョブが前記両面画像読取ジョブか否かを判定する。
【００３２】
前記判定の結果、前記次の画像読取ジョブが前記両面画像読取ジョブである場合（図４：Ｓ１０８ＹＥＳ）、次ジョブ判定部３０４は、その旨を起動継続部３０５に通知し、当該通知を受けた起動継続部３０５は、前記ＣＩＳ１０２ａを停止することなく、そのまま起動中の状態を継続させるＣＩＳ起動モードを実行する。つまり、起動継続部３０５は、起動中のＣＩＳ１０２ａを停止させることなく、そのまま起動中の状態にしておく（図５：Ｓ１０９）。この起動継続部３０５は、前記ＣＩＳ起動モードの実行時には、第２ジョブの原稿の読取前のＣＩＳ１０２ａの処理を行わない。これにより、前記次の画像読取ジョブが開始された場合に、直ぐに、両面の画像読取を開始することが可能となる。即ち、従来では、次の画像読取ジョブで、前記ＣＩＳ１０２ａを使用するにも関わらず、当該ＣＩＳ１０２ａへの電力供給が停止されていた。この場合、前記次の画像読取ジョブが開始されると、前記ＣＩＳ１０２ａを再起動させることになるが、上述のように、当該ＣＩＳ１０２ａの起動には、上述した処理が必要であり、時間が掛かるという問題が生じ得る。本発明では、前記ＣＩＳ１０２ａを起動中の状態にしておくことで、前記処理をすることなく、直ぐに、両面の画像読取を開始することが可能となり、ユーザーの利便性を向上させる。
【００３３】
さて、起動継続部３０５が前記ＣＩＳ１０２ａの起動を継続すると、その旨を画像読取制御部３０２に通知し、当該通知を受けた画像読取制御部３０２は、前記原稿セットセンサー１０２ｃを用いて、画像読取を開始できるか否かを判定する（図４：Ｓ１１０）。
【００３４】
前記判定の結果、画像読取を開始できる場合（図４：Ｓ１１０ＹＥＳ）、画像読取制御部３０２は、上述と同様に、原稿搬送部１０２を介して、原稿を搬送して（図４：Ｓ１０４）、原稿の両面の画像読取を開始することになる（図４：Ｓ１０５）。
【００３５】
ところで、Ｓ１０７において、次ジョブ判定部３０４が、前記次の画像読取ジョブが存在すると判定した際に、その旨を起動停止部３０６に通知し、当該通知を受けた起動停止部３０６は、前記次の画像読取ジョブが存在すると判定された時点からの経過時間を計時し、当該計時した経過時間が予め設定された第二の閾時間を超過するか否かを判定する（図４：Ｓ１１１）。
【００３６】
前記判定の結果、前記経過時間が前記第二の閾時間を超過しない場合（図４：Ｓ１１１ＮＯ）、Ｓ１１０へ戻って、画像読取制御部３０２が画像読取を開始できると判定するのを待ち、前記起動停止部３０６は、前記判定を繰り返す（図４：Ｓ１１１）。
【００３７】
一方、Ｓ１１１において、前記判定の結果、前記経過時間が前記第二の閾時間を超過した場合（図５：Ｓ１１１ＹＥＳ）、前記起動停止部３０６は、何らかの理由により、次の両面画像読取ジョブが実行されないと判定し、前記起動中の状態のＣＩＳ１０２ａの通常の終了処理を実行する（図５：Ｓ１１２）。この場合、図５Ｃに示すように、前記起動停止部３０６は、前記ＣＩＳ１０２ａ及び前記ＡＦＥ５０２の電力供給を停止させる（ＯＦＦ）。この場合、前記ＣＩＳ１０２ａの電源ＯＦＦにより、前記光源１０３ｄは消灯され、前記ＡＳＩＣ５０１の電力供給は停止される（ＯＦＦ）。これにより、前記ＣＩＳ１０２ａの起動による消費電力を抑えることが可能となる。
【００３８】
この場合、例えば、ユーザーが、再度、原稿トレイ１０２ｂに原稿をセットして、前記次の両面画像読取ジョブを再開させたり、当該次の両面画像読取ジョブ自体を中止させたりする処理を複合機１００に実行させる（図４：Ｓ１１３）。尚、前記ＣＩＳ１０２ａが停止した後に、再起動される場合、上述したように、前記ＣＩＳ１０２ａと前記ＡＦＥ５０２との間の処理と、前記ＡＦＥ５０２と前記ＡＳＩＣ５０１との間の処理が実施されることになる。
【００３９】
ところで、Ｓ１０８において、ユーザーが、操作部を介して次の画像読取ジョブ（例えば、片面画像読取ジョブを含む片面印刷ジョブ）を入力していた場合は、下記のようになる。前記判定の結果、前記次の画像読取ジョブが前記両面画像読取ジョブでない場合（図４：Ｓ１０８ＮＯ）、次ジョブ判定部３０４は、その旨を起動停止部３０６に通知し、当該通知を受けた起動停止部３０６は、起動中のＣＩＳ１０２ａを停止させる（図４：Ｓ１１４）。この場合は、前記ＣＩＳ１０２ａは使用しないため、Ｓ１０４へ戻って、画像読取制御部３０２が、上述と同様に、原稿搬送部１０２を介して、原稿を搬送して（図４：Ｓ１０４）、原稿の片面の画像読取を開始する（図４：Ｓ１０５）。この場合は、画像形成制御部３０３は、画像形成部１０４を介して、前記読み取られた片面の画像に基づいて画像形成を実行する（図４：Ｓ１０６）。
【００４０】
ところで、Ｓ１０７において、前記次の画像読取ジョブが存在しない場合（図４：Ｓ１０７ＮＯ）、次ジョブ判定部３０４は、その旨を起動停止部３０６に通知し、当該通知を受けた起動停止部３０６は、起動中のＣＣＤ１０３ａ及びＣＩＳ１０２ａを停止させる。これにより、全ての処理が完了する。
【００４１】
次に、図６を参照しながら、本発明の第二の実施形態に係る構成及び実行手順について説明する。先ず、ユーザーが、複合機１００の電源を投入すると、当該複合機１００の表示受付部３０１が、印刷ジョブの受付を開始し、前記複合機１００の画像読取制御部３０２が、原稿の画像読取の受付を開始する。
【００４２】
ここで、ユーザーが、原稿搬送部１０２の原稿トレイ１０２ｂに原稿を載置し、片面画像読取ジョブを含む印刷ジョブを入力すると、表示受付部３０１が、当該印刷ジョブを受け付けて（図６：Ｓ２０１）、画像読取制御部３０２は、前記ＣＣＤ１０３ａで原稿を読取らせる読取モードに移行し、図５Ａに示すように、原稿搬送部１０２において原稿トレイ１０２ｂの原稿の表面の画像を読み取るためのＣＣＤ１０３ａを起動する（図６：Ｓ２０２）。前記ＣＣＤ１０３ａの起動は、上述と同様であり、図５Ｂに示すように、画像読取制御部３０２は、前記ＣＣＤ１０３ａと、前記ＡＦＥ５００と、前記ＡＳＩＣ５０１とに電力供給する（ＯＮ）、前記ＣＣＤ１０３ａと前記ＡＳＩＣ５０１との間の処理（レジスタ設定等）を実施する。
【００４３】
次に、画像読取制御部３０２は、走査枠体１０３ｃを前記読取位置に移動させ、前記シェーディング用の白板に対面させ、光源１０３ｄを点灯して（図６：Ｓ２０３）、ＣＣＤ１０３ａで白板を読み取り、シェーディング補正を行う。
【００４４】
その後、画像読取制御部３０２は、前記走査枠体１０３ｃを、原稿搬送部１０２の原稿の表面を読み取るための読取位置へ移動させ、停止させる。そして、画像読取制御部３０２は、原稿搬送部１０２を介して、原稿の搬送を実施し、原稿の表面の画像読取を開始する（図６：Ｓ２０４）。
【００４５】
ここで、前記画像読取制御部３０２は、先ず、図５Ａに示すように、原稿搬送部１０２の原稿セットセンサー１０２ｃを用いて、当該原稿トレイ１０２ｂに原稿がセットされているか否かを検知する。前記原稿がセットされていると検知した場合に、搬送ローラー１０２ｄを回転させて、原稿トレイ１０２ｂから原稿を引き出して当該原稿を搬送する。そして、前記画像読取制御部３０２は、フィードセンサー１０２ｅを用いて、前記原稿の読み取りタイミングを取り、前記光源１０３ｄを点灯して、前記ＣＣＤ１０３ａにより、当該搬送された原稿の表面の画像を読み取る。これにより、当該原稿の表面の画像の読取を完了する。
【００４６】
画像読取制御部３０２が原稿の片面の画像読取を完了すると、画像形成制御部３０３は、画像形成部１０４を介して、前記読み取られた画像に基づいて画像形成を実行し（図６：Ｓ２０５）、ユーザーは、片面印刷された印刷物を手に入れることが可能となる。
【００４７】
ここで、画像読取制御部３０２が、前記受け付けた印刷ジョブの画像読取ジョブ（第１ジョブ）を終了すると、次ジョブ判定部３０４は、次の画像読取ジョブ（第１ジョブに続く第２ジョブ）が存在するか否かを判定する（図６：Ｓ２０６）。
【００４８】
前記判定の結果、前記次の画像読取ジョブが存在する場合（図６：Ｓ２０６ＹＥＳ）、次ジョブ判定部３０４は、その旨を画像読取制御部３０２に通知し、当該通知を受けた画像読取部３０２は、前記光源１０３ｄの消灯を実行する（図６：Ｓ２０７）。又、次ジョブ判定部３０４は、その旨を起動継続部３０５に通知し、当該通知を受けた起動継続部３０５は、前記ＣＣＤ１０３ａを停止することなく、そのまま起動中の状態を継続させるＣＣＤ起動モードを実行する。起動継続部３０５は、起動中のＣＣＤ１０３ａを停止させることなく、そのまま起動中の状態にしておく（図６：Ｓ２０８）。前記起動継続部３０５は、前記ＣＣＤ起動モードの実行時には、第２ジョブの原稿の読取前のＣＣＤ１０３ａのシェーディング補正を行わない。これにより、前記次の画像読取ジョブが開始された場合に、前記ＣＣＤ１０３ａの再起動（シェーディング補正、レジストの再設定等）をすることなく、直ぐに、画像読取を開始することが可能となり、ユーザーの利便性を向上させる。
【００４９】
さて、起動継続部３０５が前記ＣＣＤ１０３ａの起動を継続すると、画像読取制御部３０２は、前記原稿セットセンサー１０２ｃを用いて、画像読取を開始できるか否かを判定し（図６：Ｓ２０９）、画像読取を開始できる場合（図６：Ｓ２０９ＹＥＳ）、画像読取制御部３０２は、上述と同様に、前記光源１０３ｄの点灯を実行し（図６：Ｓ２０３）、原稿の表面の画像読取を開始する（図６：Ｓ２０４）。
【００５０】
ところで、Ｓ１０７において、次ジョブ判定部３０４が、前記次の画像読取ジョブが存在すると判定した際に、起動停止部３０６は、前記次の画像読取ジョブが存在すると判定された時点からの経過時間を計時し、当該計時した経過時間が予め設定された第二の閾時間を超過するか否かを判定する（図６：Ｓ２１０）。
【００５１】
前記判定の結果、前記経過時間が前記第二の閾時間を超過しない場合（図６：Ｓ２１０ＮＯ）、Ｓ２０９へ戻って、画像読取制御部３０２が画像読取を開始できると判定するのを待ち、前記起動停止部３０６は、前記判定を繰り返す（図６：Ｓ２１０）。
【００５２】
一方、Ｓ２１０において、前記判定の結果、前記経過時間が前記第二の閾時間を超過した場合（図６：Ｓ２１０ＹＥＳ）、又は、ユーザーが、何らかの理由により次の画像読取ジョブの原稿を原稿台から取り除いた場合、起動停止部３０６は、前記起動中の状態のＣＣＤ１０３ａの通常の終了処理を実行する（図６：Ｓ２１１）。ここで、通常の終了処理には、前記ＣＣＤ１０３ａの起動の停止、走査枠体１０３ｃの所定位置（ホームポジション）への移動、前記ＡＳＩＣ５０１の停止、光源１０３ｄの消灯等が含まれる。そのため、この後に、再度、原稿の画像読取が開始されると、光源１０３ｄの点灯によるシェーディング補正がなされ、前記走査枠体１０３ｃの移動が調整され、前記ＣＣＤ１０３ａで画像読取可能な状態となる。そして、ユーザーが、再度、原稿搬送部１０２の原稿トレイ１０２ｂに原稿をセットして、前記次の画像読取ジョブを再開させると、複合機１００が、原稿の搬送及び画像の読取を開始する（図６：Ｓ２１２）。尚、前記光源１０３ｄの消灯の状態において、原稿トレイ１０２ｂからの原稿搬送で、次の画像読取ジョブが再開される際に、前記画像読取ジョブの条件（例えば、読み取り線速等）が前記次の画像読取ジョブと異なる場合、例えば、フルカラー/モノクロモード、読取解像度の変更等には、画像読取制御部３０２が、前記走査枠体１０３ｃをホームポジションへ移動させ、前記ＡＳＩＣ５０１の再設定、シェーディング補正の処理を行うものの、原稿搬送部１０２における前記原稿のスキュー補正等の実行の間に、当該再設定やシェーディング補正の処理は完了するため、画像読取に要する時間に影響は無い。
【００５３】
ところで、Ｓ２０６において、前記次の画像読取ジョブが存在しない場合（図６：Ｓ２０６ＮＯ）、次ジョブ判定部３０４は、その旨を起動停止部３０６に通知し、当該通知を受けた起動停止部３０６は、起動中のＣＣＤ１０３ａを停止させる。これにより、全ての処理が完了する。
【００５４】
尚、本発明の実施形態では、画像読取制御部１０２を有する画像形成装置を想定したが、画像読取装置に適用しても構わない。又、本発明の実施形態では、複合機１００が各部を備えるよう構成したが、当該各部を実現するプログラムを記憶媒体に記憶させ、当該記憶媒体を提供するよう構成しても構わない。当該構成では、前記プログラムを画像読取装置に読み出させ、当該画像読取装置が前記各部を実現する。その場合、前記記録媒体から読み出されたプログラム自体が本発明の作用効果を奏する。さらに、各部が実行するステップをハードディスクに記憶させる方法として提供することも可能である。
【産業上の利用可能性】
【００５５】
以上のように、本発明に係る画像読取装置及び画像読取方法は、複合機はもちろん、複写機、プリンタ、スキャナー等の画像読取装置に有用であり、原稿の画像読取が完了した後に、次のジョブが存在する場合、当該原稿の画像の読取開始を早めることが可能な画像読取装置及び画像読取方法として有効である。
【符号の説明】
【００５６】
１００  複合機
１０１  画像読取部
１０２  原稿搬送部
１０３  スキャナー部
１０４  画像形成部
３０１  表示受付部
３０２  画像読取制御部
３０３  画像形成制御部
３０４  次ジョブ判定部
３０５  起動継続部
３０６  起動停止部
【図１】
0006287694.tif 000002
【図２】
0006287694.tif 000003
【図３】
0006287694.tif 000004
【図４】
0006287694.tif 000005
【図５】
0006287694.tif 000006
【図６】
0006287694.tif 000007